(57)【要約】      （修正有）【課題】製作コストが低廉で、かつ、ブリスター包装容器用台紙の表面にのみ片面印刷すれば、折り返された商品情報表示片であっても商品情報を表示することができる、印刷コストが低廉なブリスター包装容器用台紙を提供する。【解決手段】台座本体と蓋体とを備えたブリスター包装容器の台座本体に載置される台紙本体１１０と蓋体に形成された商品収容空間内に掛け渡される帯状の商品情報表示片１２０とを一連一体に構成するブリスター包装容器用台紙１００であって、商品情報表示片１２０が、台紙本体１１０に対して折返片１３０を介して連続形成され、折返片１３０側へ商品情報表示片１２０を折り返す第一折返線１３１が、折返片１３０と商品情報表示片１２０との間に設けられ、台紙本体１１０側へ折返片１３０を折り返す第二折返線１３２が、台紙本体１１０と折返片１３０との間に設けられている。【選択図】図３Ａ
0003225935.tif 000002
【実用新案登録請求の範囲】
【請求項１】
台座本体と蓋体とを備えたブリスター包装容器の前記台座本体に載置される台紙本体と前記蓋体に形成された商品収容空間内に掛け渡される帯状の商品情報表示片とを一連一体に構成するブリスター包装容器用台紙であって、
前記商品情報表示片が、前記台紙本体に対して折返片を介して連続形成され、
前記折返片側へ前記商品情報表示片を折り返す第一折返線が、前記折返片と前記商品情報表示片との間に設けられ、
前記台紙本体側へ前記折返片を折り返す第二折返線が、前記台紙本体と折返片との間に設けられていることを特徴とするブリスター包装容器用台紙。
【請求項２】
前記折返片が、前記商品情報表示片を前記第一折返線に沿って折り返した際に前記商品情報表示片の形状領域内に完全に包含される形状及び寸法に構成されていることを特徴とする請求項１に記載のブリスター包装容器用台紙。
【請求項３】
前記商品情報表示片が、前記商品情報表示片をかけ渡す方向と平行に前記台紙本体から突出して形成され、
前記第一折返線が、前記商品情報表示片を掛け渡す方向と同じ方向に配置され、
前記第二折返線が、前記商品情報表示片を掛け渡す方向と直交する方向に配置されていることを特徴とする請求項１又は請求項２に記載のブリスター包装容器用台紙。
【請求項４】
前記商品情報表示片が、前記第二折返線の延長線上に位置する切込線において前記台紙本体から分離していることを特徴とする請求項１乃至請求項３のいずれか１つに記載のブリスター包装容器用台紙。
【請求項５】
前記台紙本体が、前記台紙本体と一連一体に構成された前記商品情報表示片の長手方向端部と係合する切欠係止部を備えていることを特徴とする請求項１乃至請求項４のいずれか１つに記載のブリスター包装容器用台紙。
【考案の詳細な説明】
【技術分野】
【０００１】
本考案は、商品を保持、収納するブリスター包装容器に配置するブリスター包装容器用台紙、特に商品情報表示片を商品にかけ渡して商品情報等の表示を行うブリスター包装容器用台紙に関するものである。
【背景技術】
【０００２】
従来、帯状の商品情報表示片を商品にかけ渡すブリスター包装容器用台紙においては、前面板と背面板との二重構造を有する台紙本体と商品情報表示片とを一体に構成し、商品情報表示片をブリスター包装容器内にかけ渡した後に長手方向端部を折り曲げて、台紙本体の前面板と背面板との間に差し込むことにより固定するものが知られている（特許文献１参照）。
【先行技術文献】
【特許文献】
【０００３】
【特許文献１】特開２００１−３２２６７３号公報
【考案の概要】
【考案が解決しようとする課題】
【０００４】
しかしながら、従来の商品情報表示片を商品にかけ渡すブリスター包装容器用台紙は、台紙本体と商品情報表示片とを一体に構成する場合には、折り返された商品情報表示片の裏面が台紙本体の表面と同じ向きに露出するため、多色印刷、カラー印刷、光沢印刷などの高価な印刷をブリスター包装容器用台紙、特に、商品情報表示片の裏面にも施す必要が生じ、印刷コストが大きいという問題があった。
【０００５】
また、台紙本体と商品情報表示片とを別体に構成した場合には、型抜き裁断、組付けなどの製作コストが大きいという問題があった。
【０００６】
そこで、本考案は、前述したような従来技術の問題を解決するものであって、すなわち、本考案の目的は、簡便に製作することができ、かつ、ブリスター包装容器用台紙の表面にのみ片面印刷すれば、折り返された商品情報表示片であっても商品情報を表示することができるブリスター包装容器用台紙を提供することである。
【課題を解決するための手段】
【０００７】
本請求項１に係る考案は、台座本体と蓋体とを備えたブリスター包装容器の前記台座本体に載置される台紙本体と前記蓋体に形成された商品収容空間内に掛け渡される帯状の商品情報表示片とを一連一体に構成するブリスター包装容器用台紙であって、前記商品情報表示片が、前記台紙本体に対して折返片を介して連続形成され、前記折返片側へ前記商品情報表示片を折り返す第一折返線が、前記折返片と前記商品情報表示片との間に設けられ、前記台紙本体側へ前記折返片を折り返す第二折返線が、前記台紙本体と折返片との間に設けられていることにより、前述した課題を解決するものである。
【０００８】
本請求項２に係る考案は、前記折返片が、前記商品情報表示片を前記第一折返線に沿って折り返した際に前記商品情報表示片の形状領域内に完全に包含される形状及び寸法に構成されていることにより、前述した課題をさらに解決するものである。
【０００９】
本請求項３に係る考案は、前記商品情報表示片が、前記商品情報表示片をかけ渡す方向と平行に前記台紙本体から突出して形成され、前記第一折返線が、前記商品情報表示片を掛け渡す方向と同じ方向に配置され、前記第二折返線が、前記商品情報表示片を掛け渡す方向と直交する方向に配置されていることにより、前述した課題をさらに解決するものである。
【００１０】
本請求項４に係る考案は、前記商品情報表示片が、前記第二折返線の延長線上に位置する切込線において前記台紙本体から分離していることにより、前述した課題をさらに解決するものである。
【００１１】
本請求項５に係る考案は、前記台紙本体が、前記台紙本体と一連一体に構成された前記商品情報表示片の長手方向端部と係合する切欠係止部を備えていることにより、前述した課題をさらに解決するものである。
【考案の効果】
【００１２】
本考案の請求項１に係るブリスター包装容器用台紙によれば、台座本体と蓋体とを備えたブリスター包装容器の台座本体に載置される台紙本体と蓋体に形成された商品収容空間内に掛け渡される帯状の商品情報表示片とを一連一体に構成していることにより、商品情報表示片に商品情報を表示できるばかりでなく、本考案に固有の構成により、以下の本考案に固有の効果を奏する。
【００１３】
本考案の請求項１に係るブリスター包装容器用台紙によれば、商品情報表示片が、台紙本体に対して折返片を介して連続形成され、折返片側へ商品情報表示片を折り返す第一折返線が、折返片と商品情報表示片との間に設けられ、台紙本体側へ折返片を折り返す第二折返線が、台紙本体と折返片との間に設けられていることにより、台紙本体と商品情報表示片とが一連一体に構成されているため、台紙本体と商品情報表示片とを別体に構成した場合に比較すると、ブリスター包装容器用台紙を型抜き裁断、組付けなどの製作コストと大幅に削減することができる。
【００１４】
そして、商品情報表示片を第一折返線に沿って山折りして折返片側へ折り返した後に、折返片を第二折返線に沿って谷折りして台紙本体側へ折り返すことで、商品情報表示片の表面が台紙本体の表面と同じ向きに揃うため、多色印刷、カラー印刷、光沢印刷などの高価な印刷をブリスター包装容器用台紙、特に、商品情報表示片の裏面に施さなくてもブリスター包装容器用台紙の表面にのみ片面印刷すれば、折り返された商品情報表示片であっても台紙本体の表面と同様な多色印刷、カラー印刷、光沢印刷などの高価な印刷を施した商品情報を表示することができ、印刷コストを半減することができる。
【００１５】
本考案の請求項２に係るブリスター包装容器用台紙によれば、請求項１に係る考案が奏する効果に加えて、折返片が、商品情報表示片を第一折返線に沿って折り返した際に商品情報表示片の形状領域内に完全に包含される形状及び寸法に構成されていることにより、商品情報表示片を第一折返線に沿って山折りして折返片側へ折り返した後に、折返片を第二折返線に沿って谷折りして台紙本体側へ折り返した際に、折返片が商品情報表示片の裏側に完全に収容され、折返片が商品情報表示片からはみ出して露出することがないため、外見上、台紙本体と商品情報表示片とからなる見栄えの良い包装容器用台紙を提供することができる。
【００１６】
本考案の請求項３に係るブリスター包装容器用台紙によれば、請求項１及び請求項２に係る考案が奏する効果に加えて、商品情報表示片が、商品情報表示片をかけ渡す方向と平行に前記台紙本体から突出して形成され、第一折返線が、商品情報表示片を掛け渡す方向と同じ方向に配置され、第二折返線が、商品情報表示片を掛け渡す方向と直交する方向に配置されていることにより、第一折返線に沿って帯状の商品情報表示片を折り返した際に、商品情報表示片が台紙本体から突出する方向が前記商品情報表示片をかけ渡す方向と平行に保たれるため、第一折返線又は第二折返線を基準として折り返す際に正確に折り返すことができ組み付け作業を簡便に達成することができる。
【００１７】
本考案の請求項４に係るブリスター包装容器用台紙によれば、請求項１乃至請求項３に係る考案が奏する効果に加えて、商品情報表示片が、第二折返線の延長線上に位置する切込線において台紙本体から分離していることにより、商品情報表示片を第一折返線に沿って山折りして折返片側へ折り返した後に、折返片を第二折返線に沿って谷折りして台紙本体側へ折り返した際に、切込線が台紙本体の第二折返線に重なるため、商品情報表示片を蓋体内にかけ渡しても商品情報表示片が台紙本体からはみ出さずすっきりとした商品情報表示を行うことができる。
【００１８】
本考案の請求項５に係るブリスター包装容器用台紙によれば、請求項１乃至請求項４に係る考案が奏する効果に加えて、台紙本体が、台紙本体と一連一体に構成された商品情報表示片の長手方向端部と係合する切欠係止部を備えていることにより、台紙本体と商品情報表示片とが組み付けられる際に、商品情報表示片の長手方向端部が台紙本体の切欠係止部に係合されるため、商品収容空間内に掛け渡された商品情報表示片を台紙本体に対して確実に位置決めされ、運搬時や陳列時にブリスター包装容器の設置姿勢が変化したりブリスター包装容器を不用意に転落させたりした場合であっても、台紙本体に対して商品情報表示片が外れることない見栄えの良い包装容器用台紙を提供することができる。
【図面の簡単な説明】
【００１９】
【図１】本考案のブリスター包装容器用台紙を用いて商品を包装し陳列している状態の一例を示す模式的正面図。
【図２】図１の模式的Ａ−Ａ断面図。
【図３Ａ】本考案のブリスター包装容器用台紙の使用方法を示す説明図。
【図３Ｂ】本考案のブリスター包装容器用台紙の使用方法を示す説明図。
【図３Ｃ】本考案のブリスター包装容器用台紙の使用方法を示す説明図。
【図４】図３Ｃの模式的なＢ−Ｂ断面図。
【図５】本考案のブリスター包装容器用台紙を配置するブリスター包装容器の閉蓋状態の一例を示す模式的斜視図。
【図６】本考案のブリスター包装容器用台紙を配置するブリスター包装容器の開蓋状態の一例を示す模式的斜視図。
【図７】本考案のブリスター包装容器用台紙をブリスター包装容器に配置して商品を収容する場合の位置関係の一例を示す模式図。
【考案を実施するための形態】
【００２０】
本考案は、台座本体と蓋体とを備えたブリスター包装容器の台座本体に載置される台紙本体と蓋体に形成された商品収容空間内に掛け渡される帯状の商品情報表示片とを一連一体に構成し、商品情報表示片が、台紙本体に対して折返片を介して連続形成され、折返片側へ商品情報表示片を折り返す第一折返線が、折返片と商品情報表示片との間に設けられ、台紙本体側へ折返片を折り返す第二折返線が、台紙本体と折返片との間に設けられて、簡便に製作することができ、かつ、ブリスター包装容器用台紙の表面にのみ片面印刷すれば、折り返された商品情報表示片であっても商品情報を表示することができるものであれば、その具体的な実施態様は、如何なるものであっても構わない。
【００２１】
たとえば、商品情報表示片の形状は、全体が幅の均一な帯状である必要はなく、長手方向端部１２２が帯状に構成されていれば、他の部分を幅広にして商品情報表示の機能を一層発揮させてもよい。
【００２２】
また、台紙本体の全体形状は、長方形に限らず、使用するブリスター包装容器の形状に応じて任意に設定することができる。挿通孔の有無とその位置、大きさもまた、使用するブリスター包装容器の商品保持部の位置、大きさに応じて任意に設定することができる。
【００２３】
なお、本考案の商品情報表示片は、紙、プラスチック又はこれらの複合素材その他の折り曲げ自在な素材により作製することができる。
【実施例】
【００２４】
以下に、本考案の一実施例であるブリスター包装容器用台紙について、図１乃至図７に基づいて説明する。
【００２５】
ここで、図１は、本考案のブリスター包装容器用台紙を用いて商品を包装し陳列している状態の一例を示す模式的正面図であり、図２は、図１の模式的Ａ−Ａ断面図であり、図３Ａ乃至図３Ｃは、本考案のブリスター包装容器用台紙の使用方法を示す説明図であり、図４は、図３Ｃの模式的Ｂ−Ｂ断面図であり、図５は、本考案のブリスター包装容器用台紙を配置するブリスター包装容器の閉蓋状態の一例を示す模式的斜視図であり、図６は、本考案のブリスター包装容器用台紙を配置するブリスター包装容器の開蓋状態の一例を示す模式的斜視図であり、図７は、本考案のブリスター包装容器用台紙をブリスター包装容器に配置して商品を収容する場合の位置関係の一例を示す模式図である。
【００２６】
本実施例に係るブリスター包装容器用台紙１００は、図１及び図２に示すように、ブリスター包装容器Ｂの台座本体Ｂ１０にマスカラ等の商品Ｐを保持して商品収容空間Ｓ内に収容し、蓋体Ｂ２０を台座本体Ｂ１０に嵌合させた閉蓋状態で、自立させて陳列し、又は、陳列用フックを蓋体側吊下孔部Ｂ２５に挿通して吊り下げて陳列する際に、ブリスター包装容器Ｂ内に配置して、商品名等が印刷してある商品情報表示片１２０を商品収容空間Ｓ内にかけ渡して用いるものである。
【００２７】
以下、本実施例に係るブリスター包装容器用台紙１００の構成について詳細に説明する。特に断りがない限り、図１に示す状態を基準として上下左右の用語を用いる。
【００２８】
本実施例に係るブリスター包装容器用台紙１００は、図３Ａ乃至図６に示すように、台紙本体１１０と商品情報表示片１２０と折返片１３０とが一体となってブリスター包装容器用台紙１００を構成している。
【００２９】
本実施例のブリスター包装容器用台紙１００においては、図３Ａに示すように、帯状の商品情報表示片１２０は、折返片１３０を介して台紙本体１１０と連接している。
【００３０】
すなわち、商品情報表示片１２０は、切込線１２１を形成する切り込みにより、台紙本体１１０から分離している。
【００３１】
商品情報表示片１２０と折返片１３０とは、水平に、すなわち商品情報表示片１２０をかけ渡す方向と平行にミシン目を施して形成した第一折返線１３１において、折り返し自在に連接しており、さらに、折返片１３０と台紙本体１１０とは、垂直に、すなわち商品情報表示片１２０をかけ渡す方向と直交する方向にミシン目を施した形成した第二折返線１３２において、折り返し自在に連接している。
【００３２】
台紙本体１１０は、第二折返線１３２を設けてある辺と対向する辺の、第二折返線１３２と同じ高さの位置に、商品情報表示片１２０の長手方向端部１２２が収容されて係合する幅の切欠係止部１１１を備えている。
【００３３】
台紙本体１１０は、さらに、第二折返線１３２と切欠係止部１１１との間の位置に、帯状の商品情報表示片１２０と概ね同じ上下幅を有する挿通孔部１１２を備えている。
【００３４】
換言すると、挿通孔部１１２の位置、大きさは、後述のブリスター包装容器Ｂの商品保持部Ｂ１６の位置、大きさに応じて決定することとなるため、第二折返線１３２と切欠係止部１１１は、台紙本体１１０の挿通孔部１１２が設けられている高さの左右両辺に、それぞれ挿通孔部１１２と同程度の高さを有するように設けることとなる。
【００３５】
ブリスター包装容器用台紙１００を使用する場合には、まず図３Ａに示すように、商品情報表示片１２０を第一折返線１３１に沿って山折りに折り返す。この際、折返片１３０が商品情報表示片１２０の形状領域内に完全に包含されるように、すなわち、折返片１３０のすべての領域が商品情報表示片１２０と重なるように、折返片１３０の形状及び寸法が設定されている。
【００３６】
次に、図３Ｂに示すように、第二折返線１３２に沿って谷折りに折り返し、図３Ｃ及び図６に示すように、商品情報表示片１２０をアーチ状に曲げて、長手方向端部１２２を切欠係止部１１１内に挿通、係合させて用いる。
この際、図３Ｃに示すように、正面から見た場合に、挿通孔部１１２が商品情報表示片１２０によって概ね隠れるように、商品情報表示片１２０の形状及び寸法、並びに第二折返線１３２と切欠係止部１１１の高さが設定されている。また、切込線１２１がちょうど第二折返線１３２と重なる状態になる。
【００３７】
本実施例に係るブリスター包装容器用台紙１００を配置するブリスター包装容器Ｂの一例は、図５及び図６に示すように、台座本体Ｂ１０と蓋体Ｂ２０とが折曲線部Ｂ０１において折り曲げ自在に一体成型された透明樹脂からなり、折曲線部Ｂ０１を回動軸として蓋体Ｂ２０を開閉することができるものである。
【００３８】
台座本体Ｂ１０は、その大部分が平坦な板状に構成されており、その中央部には、保持する商品Ｐの形状に対応した縦長の商品収容凹部Ｂ１７を備え、商品収容凹部Ｂ１７の左右両側には、商品Ｐを挟持して保持するための一対の商品保持部Ｂ１６が設けられている。
【００３９】
台座本体Ｂ１０の側壁外周面に沿った台座本体側嵌合部Ｂ１１は、左右の対応する位置に矩形状に窪んでいる一対の凹状着座部分Ｂ１２を備えている。台座本体側嵌合部Ｂ１１のうち凹状着座部分Ｂ１２が設けられていない部位には、係合凹溝部分Ｂ１３が、側壁外周面に沿って断続的に設けられている。
【００４０】
左右一対の凹状着座部分Ｂ１２は、商品保持部Ｂ１６を挟むように商品保持部Ｂ１６と同じ高さの位置に設けられている。また、凹状着座部分Ｂ１２の上下幅は、商品保持部Ｂ１６を構成している突起の上下幅とほぼ同じ長さになるように構成されている。
【００４１】
台座本体Ｂ１０は、その側壁外周面に沿った台座本体側嵌合部Ｂ１１の外側の一段奥まった部位に台座本体側鍔部Ｂ１４を備えており、この台座本体側鍔部Ｂ１４の上側中央部に台座本体側吊下孔部Ｂ１５が設けられている。
【００４２】
一方、蓋体Ｂ２０は、その大部分が外側（前側）に膨出して商品収容空間Ｓを形成している。
【００４３】
蓋体Ｂ２０の側壁内周面に沿った蓋体側嵌合部Ｂ２１は、左右の対応する位置に側壁内周面に沿った平坦な一対の帯受入部分Ｂ２２を備えている。蓋体側嵌合部Ｂ２１のうち帯受入部分Ｂ２２以外の部位には、商品収容空間Ｓに向かって突出する係合突条部分Ｂ２３が、側壁内周面に沿って断続的に設けられている。
【００４４】
蓋体Ｂ２０は、その側壁外周面の外側の一段奥まった部位に蓋体側鍔部Ｂ２４を備えており、この蓋体側鍔部Ｂ２４の上側中央部に蓋体側吊下孔部Ｂ２５が設けられている。
【００４５】
ブリスター包装容器Ｂは、閉蓋状態において、台座本体Ｂ１０の台座本体側嵌合部Ｂ１１と蓋体Ｂ２０の蓋体側嵌合部Ｂ２１とが凹凸嵌合しているが、この際、台座本体Ｂ１０の係合凹溝部分Ｂ１３と蓋体Ｂ２０の係合突条部分Ｂ２３とが相互に係合して、閉蓋状態を維持するように構成されている。
【００４６】
また、ブリスター包装容器Ｂは、閉蓋状態において、台座本体Ｂ１０の凹状着座部分Ｂ１２と蓋体Ｂ２０の帯受入部分Ｂ２２とが至近距離で対向するように構成されている。
【００４７】
さらに、ブリスター包装容器Ｂは、閉蓋状態において、台座本体Ｂ１０の台座本体側鍔部Ｂ１４と蓋体Ｂ２０の蓋体側鍔部Ｂ２４とがちょうど重なり、さらに、台座本体Ｂ１０の台座本体側吊下孔部Ｂ１５と蓋体Ｂ２０の蓋体側吊下孔部Ｂ２５とがちょうど重なって単一の吊下孔となるように構成されている。
【００４８】
次に、本実施例のブリスター包装容器用台紙１００をブリスター包装容器Ｂ内に配置して、商品Ｐを陳列する場合の手順を説明する。
【００４９】
本実施例のブリスター包装容器用台紙１００をブリスター包装容器Ｂ内に配置して商品Ｐを陳列する場合には、図７に示すように、まずブリスター包装容器Ｂを構成する台座本体Ｂ１０と蓋体Ｂ２０とを大きく開いて開蓋状態とする。
【００５０】
この段階では、台座本体Ｂ１０の商品保持部Ｂ１６が上向きに突出するように、テーブル等の平坦面上に載置しておけば作業がしやすいため、図７の説明においては、開蓋状態のブリスター包装容器Ｂを商品保持部Ｂ１６が上向きに突出するように水平面に置いた状態として説明する。
【００５１】
次に、台座本体Ｂ１０の上に、ブリスター包装容器用台紙１００の台紙本体１１０を載置する。この時、台紙本体１１０の挿通孔部１１２は、上向きに突出する商品保持部Ｂ１６が挿通する位置及び大きさに構成されているので、平坦な台紙本体１１０が平坦な台座本体Ｂ１０の上に載置される。
【００５２】
なお、台座本体Ｂ１０が商品収容凹部Ｂ１７を備えている場合には、台紙本体１１０の対応する位置に商品Ｐを挿通させるための挿通孔が設けられていてもよい。台紙本体１１０に商品Ｐを挿通するために十分な大きさの挿通孔が設けてあれば、台紙本体１１０を台座本体Ｂ１０上に載置する前に、商品Ｐを商品保持部Ｂ１６に配置することができる。
【００５３】
図７は、ブリスター包装容器用台紙１００が折り返されていない状態（図３Ａの状態）における位置関係を示しているが、予め商品情報表示片１２０を第一折返線１３１に沿って山折りに折り返された状態（図３Ｂの状態）で載置すれば、台紙本体１１０を台座本体Ｂ１０から持ち上げて商品情報表示片１２０を折り曲げる必要がない。
【００５４】
台紙本体１１０に商品Ｐを挿通することができる大きさの挿通孔がない場合は、台紙本体１１０を台座本体Ｂ１０上に載置した後に、商品Ｐを商品保持部Ｂ１６に配置する。
【００５５】
商品Ｐが商品保持部Ｂ１６に配置され、かつ、商品情報表示片１２０が第一折返線１３１に沿って山折りに折り返され状態（図３Ｂの状態）で台紙本体１１０が台座本体Ｂ１０の上に載置された状態になった後に、商品情報表示片１２０をアーチ状に曲げて、長手方向端部１２２を切欠係止部１１１内に挿通、嵌合させる。
【００５６】
この時、切欠係止部１１１が、台座本体Ｂ１０の凹状着座部分Ｂ１２とちょうど重なる位置に配置されているため、長手方向端部１２２が切欠係止部１１１内に挿通、係合するとともに、凹状着座部分Ｂ１２に組み込まれて着座する状態になる。
【００５７】
その後、蓋体Ｂ２０を、折曲線部Ｂ０１を回動中心にして、台座本体Ｂ１０と重なる位置まで回動させることにより、ブリスター包装容器Ｂが閉蓋状態となる。
【００５８】
この際、商品情報表示片１２０の長手方向端部１２２は、切欠係止部１１１内に挿通、係合するとともに、台座本体Ｂ１０の凹状着座部分Ｂ１２に組み込まれ、さらに台座本体Ｂ１０の凹状着座部分Ｂ１２と蓋体Ｂ２０の帯受入部分Ｂ２２とにより挟持される。
【００５９】
本実施例のブリスター包装容器用台紙１００は、以上説明したような構成となっているため、ブリスター包装容器Ｂを閉蓋状態とした際には、商品情報表示片１２０の長手方向端部１２２が凹状着座部分Ｂ１２内に組み込まれて着座する。また、商品情報表示片１２０が蓋体Ｂ２０の帯受入部分Ｂ２２と台座本体Ｂ１０の凹状着座部分Ｂ１２との間で挟持された状態で商品収容空間Ｓ内に向けて立ち上がってアーチ状に掛け渡される。
【００６０】
以上説明したように、本実施例に係るブリスター包装容器用台紙１００は、台座本体Ｂ１０と蓋体Ｂ２０とを備えたブリスター包装容器Ｂの前記台座本体Ｂ１０に載置される台紙本体１１０と前記蓋体Ｂ２０に形成された商品収容空間内に掛け渡される帯状の商品情報表示片１２０とを一連一体に構成していることにより、商品情報表示片１２０に商品情報を表示できるばかりでなく、以下の効果を奏する。
【００６１】
すなわち、商品情報表示片１２０が、台紙本体１１０に対して折返片１３０を介して連続形成され、折返片１３０側へ商品情報表示片１２０を折り返す第一折返線１３１が、折返片１３０と商品情報表示片１２０との間に設けられ、台紙本体１１０側へ折返片１３０を折り返す第二折返線１３２が、台紙本体１１０と折返片１３０との間に設けられていることにより、台紙本体１１０と商品情報表示片１２０とが一連一体に構成されているため、台紙本体１１０と商品情報表示片１２０とを別体に構成した場合に比較すると、ブリスター包装容器用台紙１００を型抜き裁断、組付けなどの製作コストと大幅に削減することができる。
【００６２】
そして、商品情報表示片１２０を第一折返線１３１に沿って山折りして折返片１３０側へ折り返した後に、折返片１３０を第二折返線１３２に沿って谷折りして台紙本体１１０側へ折り返すことで、商品情報表示片１２０の表面が台紙本体１１０の表面と同じ向きに揃うため、多色印刷、カラー印刷、光沢印刷などの高価な印刷をブリスター包装容器用台紙１００、特に、商品情報表示片１２０の裏面に施さなくてもブリスター包装容器用台紙１００の表面にのみ片面印刷すれば、折り返された商品情報表示片１２０であっても台紙本体１１０の表面と同様な多色印刷、カラー印刷、光沢印刷などの高価な印刷を施した商品情報を表示することができ、印刷コストを半減することができる。
【００６３】
また、本実施例に係るブリスター包装容器用台紙１００は、折返片１３０が、商品情報表示片１２０を第一折返線１３１に沿って折り返した際に商品情報表示片１２０の形状領域内に完全に包含される形状及び寸法に構成されていることにより、商品情報表示片１２０を第一折返線１３１に沿って山折りして折返片１３０側へ折り返した後に、折返片１３０を第二折返線１３２に沿って谷折りして台紙本体１１０側へ折り返した際に、折返片１３０が商品情報表示片１２０の裏側に完全に収容され、折返片１３０が商品情報表示片１２０からはみ出して露出することがないため、外見上、台紙本体１１０と商品情報表示片１２０とからなる見栄えの良い包装容器用台紙を提供することができる。
【００６４】
さらに、本実施例に係るブリスター包装容器用台紙１００は、商品情報表示片１２０が、商品情報表示片１２０をかけ渡す方向と平行に台紙本体１１０から突出して形成され、第一折返線１３１が、前記商品情報表示片１２０を掛け渡す方向と同じ方向に配置され、第二折返線１３２が、商品情報表示片１２０を掛け渡す方向と直交する方向に配置されていることにより、第一折返線１３１に沿って帯状の商品情報表示片１２０を折り返した際に、商品情報表示片１２０が台紙本体１１０から突出する方向が前記商品情報表示片１２０をかけ渡す方向と平行に保たれるため、第一折返線１３１又は第二折返線１３２を基準として折り返す際に正確に折り返すことができ組み付け作業を簡便に達成することができる。
【００６５】
そして、本実施例に係るブリスター包装容器用台紙１００は、商品情報表示片１２０が、第二折返線１３２の延長線上に位置する切込線１２１において台紙本体１１０から分離していることにより、商品情報表示片１２０を第一折返線１３１に沿って山折りして折返片１３０側へ折り返した後に、折返片１３０を第二折返線１３２に沿って谷折りして台紙本体１１０側へ折り返した際に、切込線１２１が台紙本体１１０の第二折返線１３２に重なるため、商品情報表示片１２０を蓋体Ｂ２０内にかけ渡しても商品情報表示片１２０が台紙本体１１０からはみ出さずすっきりとした商品情報表示を行うことができる。
【００６６】
さらにまた、本実施例に係るブリスター包装容器用台紙１００は、台紙本体１１０が、台紙本体１１０と一連一体に構成された前記商品情報表示片１２０の長手方向端部１２２と係合する切欠係止部１１１を備えていることにより、台紙本体１１０と商品情報表示片１２０とが組み付けられる際に、商品情報表示片１２０の長手方向端部１２２が台紙本体１１０の切欠係止部１１１に係合されるため、商品収容空間内に掛け渡された商品情報表示片１２０を台紙本体１１０に対して確実に位置決めされ、運搬時や陳列時にブリスター包装容器Ｂの設置姿勢が変化したりブリスター包装容器Ｂを不用意に転落させたりした場合であっても、台紙本体１１０に対して商品情報表示片１２０が外れることない見栄えの良い包装容器用台紙を提供することができる。
【００６７】
以上、本考案に係るブリスター包装容器について実施例を用いて説明したが、本考案は、これらに限定されるものではない。
【００６８】
本考案は、その主旨を逸脱しない範囲で当業者の知識に基づき種々の改良、修正、変更を加えた態様で実施できるものである。
【産業上の利用可能性】
【００６９】
本考案に係るブリスター包装容器用台紙は、商品情報表示片を商品収容空間内に配置する透明な包装容器の台紙として用いることができる。
【符号の説明】
【００７０】
１００・・・ブリスター包装容器用台紙
１１０・・・台紙本体
１１１・・・切欠係止部
１１２・・・挿通孔部
１２０・・・商品情報表示片
１２１・・・切込線
１２２・・・長手方向端部
１３０・・・折返片
１３１・・・第一折返線
１３２・・・第二折返線
Ｂ・・・・・ブリスター包装容器
Ｂ０１・・・折曲線部
Ｂ１０・・・台座本体
Ｂ１１・・・台座本体側嵌合部（側壁外周面）
Ｂ１２・・・凹状着座部分
Ｂ１３・・・係合凹溝部分
Ｂ１４・・・台座本体側鍔部
Ｂ１５・・・台座本体側吊下孔部
Ｂ１６・・・商品保持部
Ｂ１７・・・商品収容凹部
Ｂ２０・・・蓋体
Ｂ２１・・・蓋体側嵌合部（側壁内周面）
Ｂ２２・・・帯受入部分
Ｂ２３・・・係合突条部分
Ｂ２４・・・蓋体側鍔部
Ｂ２５・・・蓋体側吊下孔部
Ｓ・・・・・商品収容空間
Ｐ・・・・・商品
【図１】
0003225935.tif 000003
【図２】
0003225935.tif 000004
【図３Ａ】
0003225935.tif 000005
【図３Ｂ】
0003225935.tif 000006
【図３Ｃ】
0003225935.tif 000007
【図４】
0003225935.tif 000008
【図５】
0003225935.tif 000009
【図６】
0003225935.tif 000010
【図７】
0003225935.tif 000011